(57)【特許請求の範囲】
【請求項１】
台間機の玉通路に設けられたシャッター装置において、該シャッター装置を前記玉通路の底板に玉の通過が可能に形成されたストッパの出没透孔と、このストッパの出没透孔より前記玉通路内へ突出して玉の通過を阻止する、該玉通路の下流側が玉通路内へ突出する遊端部となるように前記台間機のケース体に枢支ピンで枢支され、かつ底面に下方へ突出する突片を有するストッパと、このストッパの突片と当接し、該ストッパを前記玉通路内へ突出させることができるカム面を備えるとともに、常時、突出させる方向に付勢スプリングで付勢され、かつ前記ケース体にスライド移動可能に取付けられた板カムと、前記ストッパを異常を検出したときに前記玉通路内へ突出させるように前記板カムに当接するスクリュー軸を介してスライド移動させる、前記ケース体に取付けられたスクリューモータあるいはステッピングモータとで構成したことを特徴とする台間機。
【発明の詳細な説明】
【技術分野】
【０００１】
本発明は、例えばパチンコ機間に設置され、パチンコ玉を貸し出すため等の処理をする台間機に関する。
【背景技術】
【０００２】
従来、この種の台間機は故障した場合等に玉通路を遮断するソレノイドを用いたシャッター装置を使用していた。
このため、ソレノイドが大きく、小スペース設計ができないという欠点があった。
【先行技術文献】
【特許文献】
【０００３】
【特許文献１】特開平１１−１５６０３３号公報
【発明の概要】
【発明が解決しようとする課題】
【０００４】
本発明は以上のような従来の欠点に鑑み、故障等の異常を検出したときに確実にストッパを作動させることができ、小スペース設計が可能で、かつ制御が容易なモータを使用するシャッター装置を備えた台間機を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は台間機の玉通路に設けられたシャッター装置において、該シャッター装置を前記玉通路の底板に玉の通過が可能に形成されたストッパの出没透孔と、このストッパの出没透孔より前記玉通路内へ突出して玉の通過を阻止する、該玉通路の下流側が玉通路内へ突出する遊端部となるように前記台間機のケース体に枢支ピンで枢支され、かつ底面に下方へ突出する突片を有するストッパと、このストッパの突片と当接し、該ストッパを前記玉通路内へ突出させることができるカム面を備えるとともに、常時、突出させる方向に付勢スプリングで付勢され、かつ前記ケース体にスライド移動可能に取付けられた板カムと、前記ストッパを異常を検出したときに前記玉通路内へ突出させるように前記板カムに当接するスクリュー軸を介してスライド移動させる、前記ケース体に取付けられたスクリューモータあるいはステッピングモータとで台間機を構成している。
【発明の効果】
【０００７】
以上の説明から明らかなように、本発明にあっては次に列挙する効果が得られる。
（１）請求項１により、異常を検出したときにスクリューモータあるいはステッピングモータで、板カムをスライド移動させてストッパを玉通路内へ突出させて、玉の玉通路の通過を確実に阻止することができる。
したがって、玉の通過を阻止する時にだけモータが駆動するため、消費電力が小さく、経済的に使用することができる。
（２）前記（１） によって、スクリューモータあるいはステッピングモータを使用するので、従来のソレノイドを用いるものに比べ、小型コンパクト化を図ることができるとともに、ＤＣモータ等で動かそうとするとメカストッパーに突き当て、ある程度余分に動かし続けるか、フォトセンサ等を設けて位置制御しなければ正確な制御ができないのに比べ、制御が容易なモータを使用することができる。
（３）前記（１） により、板カムを、ストッパを玉通路内へ突出するように付勢スプリングで付勢された板カムを用いているので、閉鎖途中で玉がストッパに挟まった時、後続の玉圧によって抜けてしまっても、次の玉が通過するよりも付勢スプリングの付勢力によるストッパの戻ろうとする速さのほうが速く、ストッパを正規の位置にでき、遊技者の被害を最小限に止めることができる。
すなわち、モータでストッパを動かそうとすると、ストッパが上がってくるタイミングで玉が転がってきて狭まると脱調する可能性がある。また、その場所が玉圧を抑えられる定位置でない場合、後続の玉が流れてしまう可能性がある。その点、付勢スプリングを用いるものであれば、途中で挟まってもモータはそのまま定位置まで動き続けるため脱調の可能性が減る。
（４）前記（１）により、スクリューモータあるいはステッピングモータのスクリュー軸を板カムに当接するように設けているので、玉通路内へ突出したストッパに遊技球が挟まるなど、ストッパを押し戻す方向に力が作用したときには、前記スクリューモータあるいはステッピングモータと前記板カムとの係合が外れ、該スクリューモータあるいはステッピングモータの動作とは無関係に該板カムを前記付勢スプリングの付勢力に抗してスライド移動させることができる。
（５）前記（１）により、開放する時、モータが板カムを押す方向と玉の圧力ベクトルが同じ方向に働くため、モータへの負荷を低減させることができる。
【図面の簡単な説明】
【０００８】
【図１】本発明を実施するための第１の形態の正面図。
【図２】本発明を実施するための第１の形態の側面図。
【図３】本発明を実施するための第１の形態の要部正面図。
【図４】本発明を実施するための第１の形態の要部平面図。
【図５】本発明を実施するための第１の形態のストッパの説明図。
【図６】本発明を実施するための第１の形態の板カムの説明図。
【図７】本発明を実施するための第１の形態の玉通路を閉鎖した状態の要部正面図。
【図８】本発明を実施するための第１の形態の玉通路を閉鎖した状態の要部平面図。
【図９】本発明を実施するための第２の形態の正面図。
【図１０】本発明を実施するための第２の形態の要部正面図。
【図１１】本発明を実施するための第２の形態の要部平面図。
【図１２】本発明を実施するための第３の形態の正面図。
【図１３】本発明を実施するための第３の形態の要部正面図。
【図１４】本発明を実施するための第３の形態の要部平面図。
【発明を実施するための形態】
【０００９】
以下、図面に示す本発明を実施するための形態により、本発明を詳細に説明する。
【００１０】
図１ないし図８に示す本発明を実施するための第１の形態において、１は例えばパチンコ機２、２間に設置され、パチンコ玉を貸し出しするため等の処理を行なう台間機で、この台間機１の傾斜面に形成された玉通路３には、該玉通路３を開閉するシャッター装置４が設けられている。
【００１１】
このシャッター装置４は前記傾斜面に形成された玉通路３の底板３ａに玉の通過が可能に形成されたストッパの出没透孔５と、このストッパの出没透孔５より前記玉通路３内へ突出して玉６の通過を阻止する、該玉通路３の下流側が玉通路３内へ突出する遊端部となるように前記台間機１のケース体７に枢支ピン８で枢支された底面に下方へ突出する突片９を有するストッパ１０と、このストッパ１０の突片９と当接し、該ストッパ１０を前記玉通路３内へ突出させることができるカム面１１を備えるとともに、常時突出させる方向に付勢スプリング１２で付勢され、かつ前記ケース体７にスライド移動可能に取付けられた板カム１３と、この板カム１３を前記付勢スプリング１２の付勢力を利用して、前記ストッパ１０を玉通路３内へ突出させるように移動させる、故障等の異常を検出すると駆動される、前記ケース体７に取付けられたスクリューモータ１６とで構成されている。
【００１２】
なお、故障等の異常を検出するとは、システムとの通信が異常に遮断されたり、ユニットの各機能が正常でなくなる場合等である。
【００１３】
前記ストッパ１０は図５に示すように、後端部に枢支ピン挿入孔１７が形成されたストッパ本体１８と、このストッパ本体１８の遊端部側の上面に玉６を係止することができる玉係止部１９と、この玉係止部１９近傍の前記ストッパ本体１８の底面に下方へ突出するように形成された突片９とで構成されている。
【００１４】
前記板カム１３は図６に示すように、棒状の板カム本体２０と、この板カム本体２０の後端部にスクリューモータ１６のスクリュー軸２１が当接するように形成されたスクリュー軸当接部２２と、前記板カム本体２０の先端部側の上面に前記ストッパ１０を玉通路３内へ順次突出させる傾斜面２３および玉通路３内へ突出した状態で、その状態を保つことができる平面部２４が形成されたカム面１１と、前記板カム本体２０を、常時前記ストッパ１０を玉通路３内へ突出するように付勢する付勢スプリング１２を取付ける、該板カム本体２０に形成された付勢スプリング係止片２５とで構成されている。
【００１５】
前記スクリューモータ１６は正・逆回転させることにより、スクリュー軸２１が前進・後進するもので、スクリュー軸２１の後進するような駆動時に、前記付勢スプリング１２の付勢力が作用するようになっている。
【００１６】
上記構成の台間機１は故障等の異常が発生すると、スクリューモータ１６が駆動し、スクリュー軸２１を後進させるため、前記付勢スプリング１２の付勢力により板カム１３が後退するようにスクリューモータ１６方向へスライド移動する。
【００１７】
この板カム１３のスライド移動によって、ストッパ１０の突片９が板カム１３の傾斜面２３をスライド移動しながら、遊端部がストッパの出没透孔５より玉通路３内へ入り込み、突片９が板カム１３の平面部２４に位置した所でスクリューモータ１６の駆動が停止するとともに、板カム１３の移動が停止する。
【００１８】
この板カム１３の移動時には付勢スプリング１２の付勢力が作用し、スムーズに移動させることができる。
【００１９】
この板カム１３の移動停止でストッパ１０の遊端部は玉通路３内に入り込み、玉通路３内を通過する玉６が玉係止部１９に係止され、かつストッパ１０の突片９が板カム１３の平面部２４に当接された状態となるため、玉の圧力が作用してもストッパ１０が開放方向に回動することのない完全な停止状態にできる。
【００２０】
故障等の異常がなおると、スクリューモータ１６が駆動して、スクリュー軸２１を付勢スプリング１２の付勢力に抗して前進させ、板カム１３を前進させ、ストッパ１０の突片９を平面部２４から傾斜面２３の下部位置まで移動した所でスクリューモータ１６の駆動が停止するとともに、板カム１３のスライド移動が停止する。
【００２１】
この板カム１３のスライド移動により、ストッパ１０は玉通路３内よりストッパの出没透孔５を通過して玉通路３外へ位置する。
【００２２】
なお、前記本発明の実施の形態で使用されるスクリューモータ１６はステッピング機能のあるモータを用いることにより、消費電流の低減や、位置制御が不要となる。    
【００２３】
[発明を実施するための異なる形態]
次に、図９ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図９ないし図１１に示す本発明を実施するための第２の形態において、前記本発明を実施するための第１の形態と主に異なる点は、板カム１３に軸心方向のねじ部２６を形成したねじ筒２７が当接するようにケース体７に回転不能でかつ軸心方向にスライド移動可能に支持台３４を介して取付けるとともに、該ねじ筒２７のねじ部２６と螺合するねじ２８を正・逆回転モータ２９の駆動軸３０に形成した軸心方向の移動機構３１を用いた点で、このような軸心方向の移動機構３１を用いて構成したシャッター装置４Ａを用いた台間機１Ａにしても正・逆回転モータ２９の正・逆回転によりねじ筒２７、すなわち板カム１３が前・後進して玉通路３をストッパ１０で開閉させることができ、前記本発明を実施するための第１の形態と同様な作用効果が得られる。
【００２５】
図１２ないし図１４に示す本発明を実施するための第３の形態において、前記本発明を実施するための第２の形態と主に異なる点は、正・逆回転モータ２９の駆動軸３０Ａにピニオン３２を固定するとともに、このピニオン３２と噛み合うラック３３を板カム１３に当接するようにケース体７に軸心方向にスライド移動可能に支持台３４を介して取付けた軸心方向の移動機構３１Ａを用いた点で、このような移動機構３１Ａを用いて構成したシャッター装置４Ｂを用いた台間機１Ｂにしても、正・逆回転モータ２９を正・逆回転させることによりラック３３、すなわち板カム１３が前・後進して玉通路３をストッパ１０で開閉させることができ、前記本発明を実施するための第２の形態と同様な作用効果が得られる。
【産業上の利用可能性】
【００２６】
本発明はパチンコ機間に設置される台間機を製造する産業で利用される。
【符号の説明】
【００２７】
１、１Ａ、１Ｂ：台間機、    ２：パチンコ機、
３：玉通路、        
４、４Ａ、４Ｂ：シャッター装置、
５：ストッパの出没透孔、    ６：玉、
７：ケース体、      ８：枢支ピン、
９：突片、        １０：ストッパ、
１１：カム面、      １２：付勢スプリング、
１３：板カム、      １６：スクリューモータ、
１７：枢支ピン挿入孔、    １８：ストッパ本体、
１９：玉係止部、      ２０：板カム本体、
２１：スクリュー軸、    ２２：スクリュー軸当接部、
２３：傾斜面、      ２４：平面部、
２５：付勢スプリング係止片、  ２６：ねじ部、
２７：ねじ筒、      ２８：ねじ、
２９：正・逆回転モータ、    ３０、３０Ａ：駆動軸、
３１、３１Ａ：軸心方向の移動機構、
３２：ピニオン、      ３３：ラック、
３４：支持台。
【図１】
0005951824.tif 000002
【図２】
0005951824.tif 000003
【図３】
0005951824.tif 000004
【図４】
0005951824.tif 000005
【図５】
0005951824.tif 000006
【図６】
0005951824.tif 000007
【図７】
0005951824.tif 000008
【図８】
0005951824.tif 000009
【図９】
0005951824.tif 000010
【図１０】
0005951824.tif 000011
【図１１】
0005951824.tif 000012
【図１２】
0005951824.tif 000013
【図１３】
0005951824.tif 000014
【図１４】
0005951824.tif 000015